(57)【要約】【課題】本発明は靴下乾燥装置を開示した。【解決手段】本発明は靴下乾燥装置を開示し、装置主体を含み、駆動モーターが始動する時駆動主軸と主駆動輪を回転連動させ、主駆動輪は噛合によって左側の噛合歯車を回転連動させ、左側の噛合歯車は左側の送気軸を回転連動させ、装置は一つや二つの靴下を同時に吹け、靴下を固定でき、手でサポートする必要なし、手がやけどされる確率を減少させ、且つ靴下の内側に反射される空気は風脱出管から排出され、装置損害の確率を減少させ、両側のスイッチは装置の始動を制御でき送気口の量を制御でき、乾かす確率を高め、使われる時間を減少させ、人々の生活に便利で、且つ装置は靴を吹け、用途は広い、人々の生活に便利を与える。【選択図】図１
2020179075.tif 000002
【特許請求の範囲】
【請求項１】
靴下乾燥装置であって、装置主体を含み、前記装置主体は装置外殻を含み、前記装置外殻の中には装置内チャンバが設置されており、前記装置外殻の頂部端面には風止め管が設置されており、前記風止め管には小孔の付いた風脱出管が設置されており、前記風脱出管には靴下を固定できるロック部品が設置されており、前記風脱出管の中には靴吹き筒が挿入して接続されており、前記ロック部品は前記風脱出管の外側に位置する係止リングを含み、前記靴吹き筒は前記風脱出管と挿入して接続される挿入接続筒を含み、前記装置内チャンバの中には二つの送気部品が設置されており、前記送気部品は送気管と羽根の付いた送気軸を含み、前記装置外殻の左右両側端面には前記送気部品の吸い込んだ空気を濾過する濾過部品が設置されており、前記送気軸の下端には軸ロック機構が設置されており、前記軸ロック機構は固定ブロックを含み、前記固定ブロックと前記装置内チャンバの底壁との固定によって送気軸を安定させ、前記装置内チャンバの中には両側の前記送気軸の回転を制御する駆動伝動部品が設置されており、前記駆動伝動部品は駆動モーター及び駆動副軸を含み、前記駆動モーターと前記駆動副軸との間には動力を伝動するベルトが設置されており、前記駆動部品は磁石と電磁石を含み、前記駆動副軸は前記磁石と前記電磁石との磁力的接続によって回転でき、前記装置外殻の中には前記送気部品から吹き出された空気を加熱する加熱部品が設置されており、前記加熱部品は電力座と電熱線及び制御用のスイッチを含み、左側の前記スイッチは左側の前記電力座と左側の前記電熱線と駆動モーターを制御でき、右側の前記スイッチは右側の前記電力座と右側の前記電熱線と前記電磁石を制御できることを特徴とする靴下乾燥装置。
【請求項２】
前記装置主体は前記装置内チャンバの頂壁に位置する左右に対称的な上に開口した二つの送気口を含み、前記風止め管が前記装置外殻の頂部端面に固定的に設置されて前記送気口に連通し、前記ロック部品は前記係止リングの外側に挿入接続して取り付けられる係止接続リングを含み、前記係止接続リングの端面にはロック回転軸が固定的に取り付けられ、前記ロック回転軸には二つのロックリングが固定的に取り付けられ、前記係止接続リングの端面には固定軸が設置されており、前記ロック固定軸には二つのロックスリーブが設置されており、前記靴吹き筒は前記風脱出管と挿入して連結される挿入接続筒を含み、前記挿入接続筒の外側には位置制限環状ブロックが設置されており、前記挿入接続筒の頂端には通気網筒が設置されていることを特徴とする請求項１に記載の靴下乾燥装置。
【請求項３】
前記送気部品は前記装置内チャンバの左右両側壁に位置する外に開口した吸気口を含み、前記送気管が前記吸気口と前記送気口の間に固定的に設置されており、前記送気管の中には前記吸気口と送気口とに連通する送気チャンバが設置されており、前記送気軸が前記装置内チャンバの底壁の中に回転できるように取り付けられ、前記送気軸は上へ前記送気チャンバの中に入り、前記送気軸は左右に対称的に設置されており且つ羽根が付き、前記送気チャンバの内壁には四本の安定棒が固定的に取り付けられ、前記安定棒の間には安定スリーブが固定的に取り付けられ、前記送気軸が前記安定スリーブを通り抜けており、前記軸ロック機構は前記送気軸に位置する位置制限回転リングを含み、前記固定ブロックが前記送気軸の底端に回転できるように取り付けられ、前記固定ブロックはネジ釘によって前記装置内チャンバの底壁に固定され、前記濾過部品は前記装置外殻の左右両側端面に取り付けられ且つ前記吸気口の外側に位置するネジ山座を含み、前記ネジ山座の中には濾過管がねじ山によって取り付けられ、前記濾過管の内部の空間の上下の両側壁の間には三つの濾過網が固定的に取り付けられていることを特徴とする請求項１に記載の靴下乾燥装置。
【請求項４】
前記駆動伝動部品は前記送気軸に固定的に取り付けられる噛合歯車を含み、前記駆動モーターが前記装置内チャンバの底壁の中に固定的に取り付けられ、前記駆動モーターのうち上に向かった出力軸が駆動主軸と固定的に接続され、前記駆動主軸の頂部端面には左側の前記噛合歯車と噛み合う主駆動輪が固定的に取り付けられ、前記駆動主軸にはプーリが固定的に取り付けられ、前記駆動副軸が前記装置内チャンバの底壁の中に回転できるように取り付けられ、前記駆動副軸の頂部端面には右側の前記噛合歯車と噛み合う副駆動輪が固定的に取り付けられ、前記駆動副軸には固定輪が固定的に取り付けられ、前記固定輪の外側にはベルトリングが回転できるように取り付けられ、前記ベルトリングの内側端面には前記固定輪とスライドできるように連結される位置制限リングが固定的に取り付けられ、前記ベルトリングの内側壁の中にはスロットが均一に分布され、前記固定輪の外側端面の中には均一分布される前記スロットと対応するスライド溝が設置されており、前記電磁石が前記スライド溝の中に固定的に取り付けられ、前記スライド溝の中には前記スロットと挿入して連結されるスライダがスライドできるように取り付けられ、前記磁石が前記スライダの内側端面の中に固定的に取り付けられ、前記磁石は前記電磁石と反発し合うことができ、前記磁石と前記電磁石の間には引っ張り撥条が固定的に取り付けられ、前記ベルトが前記ベルトリングと前記プーリの間に伝動できるように取り付けられていることを特徴とする請求項１に記載の靴下乾燥装置。
【請求項５】
前記加熱部品は前記装置内チャンバの頂壁に固定的に取り付けられ左右に対称的に設置される四つの電力ボードを含み、前記電力座が左右両側の前記送気チャンバの左右両側壁に固定的に取り付けられ、前記電熱線が前記電力座に固定的に取り付けられ、前記スイッチが前記装置外殻の頂部端面に固定的に取り付けられ、前記スイッチは左右に対称的に設置され且つ前記電力ボードと対応し、上方の両側の前記電力座と前側の前記電力ボードとの間には電線が接続され、下方の両側の前記電力座と後側の前記電力ボードとの間には前記電線が接続されていることを特徴とする請求項１に記載の靴下乾燥装置。
【発明の詳細な説明】
【技術分野】
【０００１】
本発明は家庭用電機分野に関し、具体的には靴下乾燥装置である。
【背景技術】
【０００２】
南の冬の日々、続々な低温及び雨の天気によって、たくさんの衣服は洗濯された後長い時間を経たなければ乾燥できなく、衣服は数日で着替えられ、ところが靴下は毎日着替えしなくてはいけなく、時間が長く経つと靴下がない状況になり、ドライヤーによって乾かせるけど靴下は内と外両側があるため、外部が乾かされても内部がまだ湿っぽく、繰り返して乾かす時水蒸気を内部に吹き飛ばせ、何度も繰り返しなきゃ乾かせなく、且つ事情も力も多くかかり、手をやけどし、直接に靴下をドライヤーにかぶって乾かせば、時間が長ければ靴下の内側に反射される空気がドライヤーを損害しやすく、そのため家庭用の靴下乾燥装置が必要である。
【先行技術文献】
【特許文献】
【０００３】
【特許文献１】中国特許出願公開第１０８６１３４９４号明細書
【発明の概要】
【発明が解決しようとする課題】
【０００４】
本発明の目的は靴下乾燥装置を提供し、現有の技術の上記欠点を克服できる。
【課題を解決するための手段】
【０００５】
本発明の実施例における靴下乾燥装置は、装置主体を含み、前記装置主体は装置外殻を含み、前記装置外殻の中には装置内チャンバが設置されており、前記装置外殻の頂部端面には風止め管が設置されており、前記風止め管には小孔の付いた風脱出管が設置されており、前記風脱出管には靴下を固定できるロック部品が設置されており、前記風脱出管の中には靴吹き筒が挿入して接続されており、前記ロック部品は前記風脱出管の外側に位置する係止リングを含み、前記靴吹き筒は前記風脱出管と挿入して接続される挿入接続筒を含み、前記装置内チャンバの中には二つの送気部品が設置されており、前記送気部品は送気管と羽根の付いた送気軸を含み、前記装置外殻の左右両側端面には前記送気部品の吸い込んだ空気を濾過する濾過部品が設置されており、前記送気軸の下端には軸ロック機構が設置されており、前記軸ロック機構は固定ブロックを含み、前記固定ブロックと前記装置内チャンバの底壁との固定によって送気軸を安定させ、前記装置内チャンバの中には両側の前記送気軸の回転を制御する駆動伝動部品が設置されており、前記駆動伝動部品は駆動モーター及び駆動副軸を含み、前記駆動モーターと前記駆動副軸との間には動力を伝動するベルトが設置されており、前記駆動部品は磁石と電磁石を含み、前記駆動副軸は前記磁石と前記電磁石との磁力的接続によって回転でき、前記装置外殻の中には前記送気部品から吹き出された空気を加熱する加熱部品が設置されており、前記加熱部品は電力座と電熱線及び制御用のスイッチを含み、左側の前記スイッチは左側の前記電力座と左側の前記電熱線と駆動モーターを制御でき、右側の前記スイッチは右側の前記電力座と右側の前記電熱線と前記電磁石を制御できる。
【０００６】
更なる技術方案、前記装置主体は前記装置内チャンバの頂壁に位置する左右に対称的な上に開口した二つの送気口を含み、前記風止め管が前記装置外殻の頂部端面に固定的に設置されて前記送気口に連通し、前記ロック部品は前記係止リングの外側に挿入接続して取り付けられる係止接続リングを含み、前記係止接続リングの端面にはロック回転軸が固定的に取り付けられ、前記ロック回転軸には二つのロックリングが固定的に取り付けられ、前記係止接続リングの端面には固定軸が設置されており、前記ロック固定軸には二つのロックスリーブが設置されており、前記靴吹き筒は前記風脱出管と挿入して連結される挿入接続筒を含み、前記挿入接続筒の外側には位置制限環状ブロックが設置されており、前記挿入接続筒の頂端には通気網筒が設置されている。
【０００７】
更なる技術方案、前記送気部品は前記装置内チャンバの左右両側壁に位置する外に開口した吸気口を含み、前記送気管が前記吸気口と前記送気口の間に固定的に設置されており、前記送気管の中には前記吸気口と送気口とに連通する送気チャンバが設置されており、前記送気軸が前記装置内チャンバの底壁の中に回転できるように取り付けられ、前記送気軸は上へ前記送気チャンバの中に入り、前記送気軸は左右に対称的に設置されており且つ羽根が付き、前記送気チャンバの内壁には四本の安定棒が固定的に取り付けられ、前記安定棒の間には安定スリーブが固定的に取り付けられ、前記送気軸が前記安定スリーブを通り抜けており、前記軸ロック機構は前記送気軸に位置する位置制限回転リングを含み、前記固定ブロックが前記送気軸の底端に回転できるように取り付けられ、前記固定ブロックはネジ釘によって前記装置内チャンバの底壁に固定され、前記濾過部品は前記装置外殻の左右両側端面に取り付けられ且つ前記吸気口の外側に位置するネジ山座を含み、前記ネジ山座の中には濾過管がねじ山によって取り付けられ、前記濾過管の内部の空間の上下の両側壁の間には三つの濾過網が固定的に取り付けられている。
【０００８】
更なる技術方案、前記駆動伝動部品は前記送気軸に固定的に取り付けられる噛合歯車を含み、前記駆動モーターが前記装置内チャンバの底壁の中に固定的に取り付けられ、前記駆動モーターのうち上に向かった出力軸が駆動主軸と固定的に接続され、前記駆動主軸の頂部端面には左側の前記噛合歯車と噛み合う主駆動輪が固定的に取り付けられ、前記駆動主軸にはプーリが固定的に取り付けられ、前記駆動副軸が前記装置内チャンバの底壁の中に回転できるように取り付けられ、前記駆動副軸の頂部端面には右側の前記噛合歯車と噛み合う副駆動輪が固定的に取り付けられ、前記駆動副軸には固定輪が固定的に取り付けられ、前記固定輪の外側にはベルトリングが回転できるように取り付けられ、前記ベルトリングの内側端面には前記固定輪とスライドできるように連結される位置制限リングが固定的に取り付けられ、前記ベルトリングの内側壁の中にはスロットが均一に分布され、前記固定輪の外側端面の中には均一分布される前記スロットと対応するスライド溝が設置されており、前記電磁石が前記スライド溝の中に固定的に取り付けられ、前記スライド溝の中には前記スロットと挿入して連結されるスライダがスライドできるように取り付けられ、前記磁石が前記スライダの内側端面の中に固定的に取り付けられ、前記磁石は前記電磁石と反発し合うことができ、前記磁石と前記電磁石の間には引っ張り撥条が固定的に取り付けられ、前記ベルトが前記ベルトリングと前記プーリの間に伝動できるように取り付けられている。
【０００９】
更なる技術方案、前記加熱部品は前記装置内チャンバの頂壁に固定的に取り付けられ左右に対称的に設置される四つの電力ボードを含み、前記電力座が左右両側の前記送気チャンバの左右両側壁に固定的に取り付けられ、前記電熱線が前記電力座に固定的に取り付けられ、前記スイッチが前記装置外殻の頂部端面に固定的に取り付けられ、前記スイッチは左右に対称的に設置され且つ前記電力ボードと対応し、上方の両側の前記電力座と前側の前記電力ボードとの間には電線が接続され、下方の両側の前記電力座と後側の前記電力ボードとの間には前記電線が接続されている。
【発明の効果】
【００１０】
本発明の有益な効果は：本発明は結構が簡単で、操作が便利で、装置は一つや二つの靴下を同時に吹け、靴下を固定でき、手でサポートする必要なし、手がやけどされる確率を減少させ、且つ靴下の内側に反射される空気は風脱出管から排出され、装置損害の確率を減少させ、両側のスイッチは装置の始動を制御でき送気口の量を制御でき、乾かす確率を高め、使われる時間を減少させ、人々の生活に便利で、且つ装置は靴を吹け、用途は広い、広がる価値がある。
【図面の簡単な説明】
【００１１】
便利に説明するために、本発明は下記の具体実施例及び附図によって詳しく説明する。
【００１２】
【図１】図１は本発明の全体構成模式図
【図２】図２は本発明の前断面図
【図３】図３は図１のＡ方向の上面模式図
【図４】図４は図１のＢの拡大構成模式図
【図５】図５は図２のＣの拡大構成模式図
【図６】図６は靴吹き筒の構成模式図
【発明を実施するための形態】
【００１３】
以下、図１〜６について本発明を詳しく説明し、便利に叙述するように、現在は後文に出る方位を下記の通りに規定する：後文に出る上下左右前後方向は図１本体の投影関係の上下左右前後方向と一致する。
【００１４】
図１〜６を参考して、本発明の実施例における靴下乾燥装置は、装置主体９０１を含み、前記装置主体９０１は装置外殻１０を含み、前記装置外殻１０の中には装置内チャンバ２０が設置されており、前記装置外殻１０の頂部端面には風止め管１１が設置されており、前記風止め管１１には小孔の付いた風脱出管１２が設置されており、前記風脱出管１２には靴下を固定できるロック部品９０２が設置されており、前記風脱出管１２の中には靴吹き筒９０３が挿入して接続されており、前記ロック部品９０２は前記風脱出管１２の外側に位置する係止リング１３を含み、前記靴吹き筒９０３は前記風脱出管１２と挿入して接続される挿入接続筒５７を含み、前記装置内チャンバ２０の中には二つの送気部品９０４が設置されており、前記送気部品９０４は送気管２１と羽根の付いた送気軸３０を含み、前記装置外殻１０の左右両側端面には前記送気部品９０４の吸い込んだ空気を濾過する濾過部品９０５が設置されており、前記送気軸３０の下端には軸ロック機構９０６が設置されており、前記軸ロック機構９０６は固定ブロック３２を含み、前記固定ブロック３２と前記装置内チャンバ２０の底壁との固定によって送気軸３０を安定させ、前記装置内チャンバ２０の中には両側の前記送気軸３０の回転を制御する駆動伝動部品９０７が設置されており、前記駆動伝動部品９０７は駆動モーター４０及び駆動副軸４３を含み、前記駆動モーター４０と前記駆動副軸４３との間には動力を伝動するベルト４１が設置されており、前記駆動部品９０７は磁石５２と電磁石５０を含み、前記駆動副軸４３は前記磁石５２と前記電磁石５０との磁力的接続によって回転でき、前記装置外殻１０の中には前記送気部品９０４から吹き出された空気を加熱する加熱部品９０８が設置されており、前記加熱部品９０８は電力座２７と電熱線及び制御用のスイッチ１６を含み、左側の前記スイッチ１６は左側の前記電力座２７と左側の前記電熱線２８と駆動モーター４０を制御でき、右側の前記スイッチ１６は右側の前記電力座２７と右側の前記電熱線２８と前記電磁石５０を制御できる。
【００１５】
有益又は例示的に、前記装置主体９０１は前記装置内チャンバ２０の頂壁に位置する左右に対称的な上に開口した二つの送気口１５を含み、前記風止め管１１が前記装置外殻１０の頂部端面に固定的に設置されて前記送気口１５に連通し、前記ロック部品９０２は前記係止リング１３の外側に挿入接続して取り付けられる係止接続リング１４を含み、前記係止接続リング１４の端面にはロック回転軸４４が固定的に取り付けられ、前記ロック回転軸４４には二つのロックリング４５が固定的に取り付けられ、前記係止接続リング１４の端面には固定軸４９が設置されており、前記ロック固定軸４９には二つのロックスリーブ４６が設置されており、前記靴吹き筒９０３は前記風脱出管１２と挿入して連結される挿入接続筒５７を含み、前記挿入接続筒５７の外側には位置制限環状ブロック５８が設置されており、前記挿入接続筒５７の頂端には通気網筒６０が設置され、
靴下の口ゴム部を風脱出管１２に被り、係止接続リング１４をかぶり、ロック回転軸４４とロック固定軸４９とを接近させてロック回転軸４４を回転させてロックリング４５をロックスリーブ４６の中の穴に引掛け、ロックを完成し、挿入接続筒５７を風脱出管１２の中に挿入し、位置制限環状ブロック５８の位置制限によって挿入接続筒５７の位置を安定させ、靴を通気網筒６０にかぶれば靴を吹ける。
【００１６】
有益又は例示的に、前記送気部品９０４は前記装置内チャンバ２０の左右両側壁に位置する外に開口した吸気口２５を含み、前記送気管２１が前記吸気口２５と前記送気口１５の間に固定的に設置されており、前記送気管２１の中には前記吸気口２５と送気口１５とに連通する送気チャンバ２２が設置されており、前記送気軸３０が前記装置内チャンバ２０の底壁の中に回転できるように取り付けられ、前記送気軸３０は上へ前記送気チャンバ２２の中に入り、前記送気軸３０は左右に対称的に設置されており且つ羽根が付き、前記送気チャンバ２２の内壁には四本の安定棒３４が固定的に取り付けられ、前記安定棒３４の間には安定スリーブ３５が固定的に取り付けられ、前記送気軸３０が前記安定スリーブ３５を通り抜けており、前記軸ロック機構９０６は前記送気軸３０に位置する位置制限回転リング３３を含み、前記固定ブロック３２が前記送気軸３０の底端に回転できるように取り付けられ、前記固定ブロック３２はネジ釘によって前記装置内チャンバ２０の底壁に固定され、前記濾過部品９０５は前記装置外殻１０の左右両側端面に取り付けられ且つ前記吸気口２５の外側に位置するネジ山座２３を含み、前記ネジ山座２３の中には濾過管２４がねじ山によって取り付けられ、前記濾過管２４の内部の空間の上下の両側壁の間には三つの濾過網２６が固定的に取り付けられ、
送気軸３０が回転する時上に付いた羽根を同時に回転連動させ、吸気口２５によって吸気し、吸気口２５の中から吸い込まれた空気を濾過し、送気口１５から吹き出し、安定スリーブ３５及び固定ブロック３２によって送気軸３０を安定させることができ、送気軸３０の外れを防止できる。
【００１７】
有益又は例示的に、前記駆動伝動部品９０７は前記送気軸３０に固定的に取り付けられる噛合歯車３１を含み、前記駆動モーター４０が前記装置内チャンバ２０の底壁の中に固定的に取り付けられ、前記駆動モーター４０のうち上に向かった出力軸が駆動主軸３７と固定的に接続され、前記駆動主軸３７の頂部端面には左側の前記噛合歯車３１と噛み合う主駆動輪３６が固定的に取り付けられ、前記駆動主軸３７にはプーリ３８が固定的に取り付けられ、前記駆動副軸４３が前記装置内チャンバ２０の底壁の中に回転できるように取り付けられ、前記駆動副軸４３の頂部端面には右側の前記噛合歯車３１と噛み合う副駆動輪４２が固定的に取り付けられ、前記駆動副軸４３には固定輪４７が固定的に取り付けられ、前記固定輪４７の外側にはベルトリング５５が回転できるように取り付けられ、前記ベルトリング５５の内側端面には前記固定輪４７とスライドできるように連結される位置制限リング５４が固定的に取り付けられ、前記ベルトリング５５の内側壁の中にはスロット５６が均一に分布され、前記固定輪４７の外側端面の中には均一分布される前記スロット５６と対応するスライド溝４８が設置されており、前記電磁石５０が前記スライド溝４８の中に固定的に取り付けられ、前記スライド溝４８の中には前記スロット５６と挿入して連結されるスライダ５３がスライドできるように取り付けられ、前記磁石５２が前記スライダ５３の内側端面の中に固定的に取り付けられ、前記磁石５２は前記電磁石５０と反発し合うことができ、前記磁石５２と前記電磁石５０の間には引っ張り撥条５１が固定的に取り付けられ、前記ベルト４１が前記ベルトリング５５と前記プーリ３８の間に伝動できるように取り付けられ、
駆動モーター４０が始動する時駆動主軸３７と主駆動輪３６を回転連動させ、主駆動輪３６は噛合によって左側の噛合歯車３１を回転連動させ、同時にプーリ３８が回転してベルト４１を伝動連動させて左側のベルトリング５５を回転連動させ、電磁石５０が通電して磁力を生じてから磁石５２と反発し合い、スライダ５３を推して外へスライドさせ、スロット５６と挿入して接続されてからベルトリング５５は固定輪４７と駆動副軸４３とを回転連動させ、駆動副軸４３は副駆動輪４２を回転連動させ、副駆動輪４２が噛合によって右側の噛合歯車３１を回転連動させる。
【００１８】
有益又は例示的に、前記加熱部品９０８は前記装置内チャンバ２０の頂壁に固定的に取り付けられ左右に対称的に設置される四つの電力ボード１７を含み、前記電力座２７が左右両側の前記送気チャンバ２２の左右両側壁に固定的に取り付けられ、前記電熱線２８が前記電力座２７に固定的に取り付けられ、前記スイッチ１６が前記装置外殻１０の頂部端面に固定的に取り付けられ、前記スイッチ１６は左右に対称的に設置され且つ前記電力ボード１７と対応し、上方の両側の前記電力座２７と前側の前記電力ボード１７との間には電線１８が接続され、下方の両側の前記電力座２７と後側の前記電力ボード１７との間には前記電線１８が接続され、
左側のスイッチ１６によって上方の電力座２７又は二つの電力座２７を制御して電熱線２８を加熱し、それに駆動モーター４０の始動を制御でき、右側の電力ボード１７によって右側の電力座２７と電磁石５０を制御できる。
【００１９】
使用する時、靴下の口ゴム部を風脱出管１２にかぶり、係止接続リング１４をかぶり、ロック回転軸４４とロック固定軸４９とを接近させてからロック回転軸４４を回転させてロックリング４５をロックスリーブ４６の中の穴に引掛け、ロックを完成し、一つの靴下しかない場合、左側のスイッチ１６によって上方の電力座２７又は二つの電力座２７を制御して電熱線２８を加熱し、それに駆動モーター４０の始動を制御でき、駆動モーター４０が始動する時に駆動主軸３７と主駆動輪３６を回転連動させ、主駆動輪３６は噛合によって左側の噛合歯車３１を回転連動させ、左側の噛合歯車３１は左側の送気軸３０を回転連動させ、同時にプーリ３８が回転してベルト４１を伝動連動させて左側のベルトリング５５を回転連動させ、左側の送気軸３０が上に付いた羽根を同時に回転連動させ、吸気口２５によって吸気を開始し、濾過網２６によって吸気口２５から吸い込まれた空気をろ過し、空気が送気口１５から吹き出され、電熱線２８が生じる熱量によって靴下を乾かし、靴下の中から跳ね返した空気は風脱出管１２によって排出させる。
【００２０】
二つの靴下を乾燥する時、右側の電力ボード１７によって右側の電力座２７と電磁石５０を制御し、電磁石５０が通電してから磁石５２と反発し合い、スライダ５３を推して外へスライドさせ、スロット５６と挿入して接続されてベルトリング５５が固定輪４７と駆動副軸４３を回転連動させ、駆動副軸４３が副駆動輪４２を回転連動させ、副駆動輪４２は噛合によって、右側の噛合歯車３１を回転連動させ、右側の噛合歯車３１が右側の送気軸３０と送気軸３０の羽根を同時に回転連動させ、送気を開始する。
【００２１】
靴を吹く時、挿入接続筒５７を風脱出管１２の中に挿入し、位置制限環状ブロック５８の位置制限によって挿入接続筒５７の位置を安定させ、靴カバーを通気網筒６０にかぶり、乾かし始める。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179075.tif 000003
【図２】
2020179075.tif 000004
【図３】
2020179075.tif 000005
【図４】
2020179075.tif 000006
【図５】
2020179075.tif 000007
【図６】
2020179075.tif 000008
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
靴下乾燥装置であって、装置主体を含み、前記装置主体は装置外殻を含み、前記装置外殻の中には装置内チャンバが設置されており、前記装置外殻の頂部端面には風止め管が設置されており、前記風止め管には小孔の付いた風脱出管が設置されており、前記風脱出管には靴下を固定できるロック部品が設置されており、前記風脱出管の中には靴吹き筒が挿入して接続されており、前記ロック部品は前記風脱出管の外側に位置する係止リングを含み、前記靴吹き筒は前記風脱出管と挿入して接続される挿入接続筒を含み、前記装置内チャンバの中には二つの送気部品が設置されており、前記送気部品は送気管と羽根の付いた送気軸を含み、前記装置外殻の左右両側端面には前記送気部品の吸い込んだ空気を濾過する濾過部品が設置されており、前記送気軸の下端には軸ロック機構が設置されており、前記軸ロック機構は固定ブロックを含み、前記固定ブロックと前記装置内チャンバの底壁との固定によって送気軸を安定させ、前記装置内チャンバの中には両側の前記送気軸の回転を制御する駆動伝動部品が設置されており、前記駆動伝動部品は駆動モーター及び駆動副軸を含み、前記駆動モーターと前記駆動副軸との間には動力を伝動するベルトが設置されており、前記駆動伝動部品は磁石と電磁石を含み、前記装置外殻の中には前記送気部品から吹き出された空気を加熱する加熱部品が設置されており、前記加熱部品は電力座と電熱線及び制御用のスイッチを含み、左側の前記スイッチは左側の前記電力座と左側の前記電熱線と駆動モーターを制御でき、右側の前記スイッチは右側の前記電力座と右側の前記電熱線と前記電磁石を制御できることを特徴とする靴下乾燥装置。
【請求項２】
前記装置主体は前記装置内チャンバの頂壁に位置する左右に対称的な上に開口した二つの送気口を含み、前記風止め管が前記装置外殻の頂部端面に固定的に設置されて前記送気口に連通し、前記ロック部品は前記係止リングの外側に挿入接続して取り付けられる係止接続リングを含み、前記係止接続リングの端面にはロック回転軸が固定的に取り付けられ、前記ロック回転軸には二つのロックリングが固定的に取り付けられ、前記係止接続リングの端面には固定軸が設置されており、前記固定軸には二つのロックスリーブが設置されており、前記靴吹き筒は前記風脱出管と挿入して連結される挿入接続筒を含み、前記挿入接続筒の外側には位置制限環状ブロックが設置されており、前記挿入接続筒の頂端には通気網筒が設置されていることを特徴とする請求項１に記載の靴下乾燥装置。
【請求項３】
前記送気部品は前記装置内チャンバの左右両側壁に位置する外に開口した吸気口を含み、前記送気管が前記吸気口と前記送気口の間に固定的に設置されており、前記送気管の中には前記吸気口と送気口とに連通する送気チャンバが設置されており、前記送気軸が前記装置内チャンバの底壁の中に回転できるように取り付けられ、前記送気軸は上へ前記送気チャンバの中に入り、前記送気軸は左右に対称的に設置されており且つ羽根が付き、前記送気チャンバの内壁には四本の安定棒が固定的に取り付けられ、前記安定棒の間には安定スリーブが固定的に取り付けられ、前記送気軸が前記安定スリーブを通り抜けており、前記軸ロック機構は前記送気軸に位置する位置制限回転リングを含み、前記固定ブロックが前記送気軸の底端に回転できるように取り付けられ、前記固定ブロックはネジ釘によって前記装置内チャンバの底壁に固定され、前記濾過部品は前記装置外殻の左右両側端面に取り付けられ且つ前記吸気口の外側に位置するネジ山座を含み、前記ネジ山座の中には濾過管がねじ山によって取り付けられ、前記濾過管の内部の空間の上下の両側壁の間には三つの濾過網が固定的に取り付けられていることを特徴とする請求項１に記載の靴下乾燥装置。
【請求項４】
前記駆動伝動部品は前記送気軸に固定的に取り付けられる噛合歯車を含み、前記駆動モーターが前記装置内チャンバの底壁の中に固定的に取り付けられ、前記駆動モーターのうち上に向かった出力軸が駆動主軸と固定的に接続され、前記駆動主軸の頂部端面には左側の前記噛合歯車と噛み合う主駆動輪が固定的に取り付けられ、前記駆動主軸にはプーリが固定的に取り付けられ、前記駆動副軸が前記装置内チャンバの底壁の中に回転できるように取り付けられ、前記駆動副軸の頂部端面には右側の前記噛合歯車と噛み合う副駆動輪が固定的に取り付けられ、前記駆動副軸には固定輪が固定的に取り付けられ、前記固定輪の外側にはベルトリングが回転できるように取り付けられ、前記ベルトリングの内側端面には前記固定輪とスライドできるように連結される位置制限リングが固定的に取り付けられ、前記ベルトリングの内側壁の中にはスロットが均一に分布され、前記固定輪の外側端面の中には均一分布される前記スロットと対応するスライド溝が設置されており、前記電磁石が前記スライド溝の中に固定的に取り付けられ、前記スライド溝の中には前記スロットと挿入して連結されるスライダがスライドできるように取り付けられ、前記磁石が前記スライダの内側端面の中に固定的に取り付けられ、前記磁石は前記電磁石と反発し合うことができ、前記磁石と前記電磁石の間には引っ張り撥条が固定的に取り付けられ、前記ベルトが前記ベルトリングと前記プーリの間に伝動できるように取り付けられていることを特徴とする請求項１に記載の靴下乾燥装置。
【請求項５】
前記加熱部品は前記装置内チャンバの頂壁に固定的に取り付けられ左右に対称的に設置される四つの電力ボードを含み、前記電力座が左右両側の前記送気チャンバの左右両側壁に固定的に取り付けられ、前記電熱線が前記電力座に固定的に取り付けられ、前記スイッチが前記装置外殻の頂部端面に固定的に取り付けられ、前記スイッチは左右に対称的に設置され且つ前記電力ボードと対応し、上方の両側の前記電力座と前側の前記電力ボードとの間には電線が接続され、下方の両側の前記電力座と後側の前記電力ボードとの間には前記電線が接続されていることを特徴とする請求項１に記載の靴下乾燥装置。
【手続補正２】
【補正対象書類名】明細書
【補正対象項目名】全文
【補正方法】変更
【補正の内容】
【発明の詳細な説明】
【技術分野】
【０００１】
本発明は家庭用電機分野に関し、具体的には靴下乾燥装置である。
【背景技術】
【０００２】
南の冬の日々、続々な低温及び雨の天気によって、たくさんの衣服は洗濯された後長い時間を経たなければ乾燥できなく、衣服は数日で着替えられ、ところが靴下は毎日着替えしなくてはいけなく、時間が長く経つと靴下がない状況になり、ドライヤーによって乾かせるけど靴下は内と外両側があるため、外部が乾かされても内部がまだ湿っぽく、繰り返して乾かす時水蒸気を内部に吹き飛ばせ、何度も繰り返しなきゃ乾かせなく、且つ事情も力も多くかかり、手をやけどし、直接に靴下をドライヤーにかぶって乾かせば、時間が長ければ靴下の内側に反射される空気がドライヤーを損害しやすく、そのため家庭用の靴下乾燥装置が必要である。
【先行技術文献】
【特許文献】
【０００３】
【特許文献１】中国特許出願公開第１０８６１３４９４号明細書
【発明の概要】
【発明が解決しようとする課題】
【０００４】
本発明の目的は靴下乾燥装置を提供し、現有の技術の上記欠点を克服できる。
【課題を解決するための手段】
【０００５】
本発明の実施例における靴下乾燥装置は、装置主体を含み、前記装置主体は装置外殻を含み、前記装置外殻の中には装置内チャンバが設置されており、前記装置外殻の頂部端面には風止め管が設置されており、前記風止め管には小孔の付いた風脱出管が設置されており、前記風脱出管には靴下を固定できるロック部品が設置されており、前記風脱出管の中には靴吹き筒が挿入して接続されており、前記ロック部品は前記風脱出管の外側に位置する係止リングを含み、前記靴吹き筒は前記風脱出管と挿入して接続される挿入接続筒を含み、前記装置内チャンバの中には二つの送気部品が設置されており、前記送気部品は送気管と羽根の付いた送気軸を含み、前記装置外殻の左右両側端面には前記送気部品の吸い込んだ空気を濾過する濾過部品が設置されており、前記送気軸の下端には軸ロック機構が設置されており、前記軸ロック機構は固定ブロックを含み、前記固定ブロックと前記装置内チャンバの底壁との固定によって送気軸を安定させ、前記装置内チャンバの中には両側の前記送気軸の回転を制御する駆動伝動部品が設置されており、前記駆動伝動部品は駆動モーター及び駆動副軸を含み、前記駆動モーターと前記駆動副軸との間には動力を伝動するベルトが設置されており、前記駆動伝動部品は磁石と電磁石を含み、前記装置外殻の中には前記送気部品から吹き出された空気を加熱する加熱部品が設置されており、前記加熱部品は電力座と電熱線及び制御用のスイッチを含み、左側の前記スイッチは左側の前記電力座と左側の前記電熱線と駆動モーターを制御でき、右側の前記スイッチは右側の前記電力座と右側の前記電熱線と前記電磁石を制御できる。
【０００６】
更なる技術方案、前記装置主体は前記装置内チャンバの頂壁に位置する左右に対称的な上に開口した二つの送気口を含み、前記風止め管が前記装置外殻の頂部端面に固定的に設置されて前記送気口に連通し、前記ロック部品は前記係止リングの外側に挿入接続して取り付けられる係止接続リングを含み、前記係止接続リングの端面にはロック回転軸が固定的に取り付けられ、前記ロック回転軸には二つのロックリングが固定的に取り付けられ、前記係止接続リングの端面には固定軸が設置されており、前記固定軸には二つのロックスリーブが設置されており、前記靴吹き筒は前記風脱出管と挿入して連結される挿入接続筒を含み、前記挿入接続筒の外側には位置制限環状ブロックが設置されており、前記挿入接続筒の頂端には通気網筒が設置されている。
【０００７】
更なる技術方案、前記送気部品は前記装置内チャンバの左右両側壁に位置する外に開口した吸気口を含み、前記送気管が前記吸気口と前記送気口の間に固定的に設置されており、前記送気管の中には前記吸気口と送気口とに連通する送気チャンバが設置されており、前記送気軸が前記装置内チャンバの底壁の中に回転できるように取り付けられ、前記送気軸は上へ前記送気チャンバの中に入り、前記送気軸は左右に対称的に設置されており且つ羽根が付き、前記送気チャンバの内壁には四本の安定棒が固定的に取り付けられ、前記安定棒の間には安定スリーブが固定的に取り付けられ、前記送気軸が前記安定スリーブを通り抜けており、前記軸ロック機構は前記送気軸に位置する位置制限回転リングを含み、前記固定ブロックが前記送気軸の底端に回転できるように取り付けられ、前記固定ブロックはネジ釘によって前記装置内チャンバの底壁に固定され、前記濾過部品は前記装置外殻の左右両側端面に取り付けられ且つ前記吸気口の外側に位置するネジ山座を含み、前記ネジ山座の中には濾過管がねじ山によって取り付けられ、前記濾過管の内部の空間の上下の両側壁の間には三つの濾過網が固定的に取り付けられている。
【０００８】
更なる技術方案、前記駆動伝動部品は前記送気軸に固定的に取り付けられる噛合歯車を含み、前記駆動モーターが前記装置内チャンバの底壁の中に固定的に取り付けられ、前記駆動モーターのうち上に向かった出力軸が駆動主軸と固定的に接続され、前記駆動主軸の頂部端面には左側の前記噛合歯車と噛み合う主駆動輪が固定的に取り付けられ、前記駆動主軸にはプーリが固定的に取り付けられ、前記駆動副軸が前記装置内チャンバの底壁の中に回転できるように取り付けられ、前記駆動副軸の頂部端面には右側の前記噛合歯車と噛み合う副駆動輪が固定的に取り付けられ、前記駆動副軸には固定輪が固定的に取り付けられ、前記固定輪の外側にはベルトリングが回転できるように取り付けられ、前記ベルトリングの内側端面には前記固定輪とスライドできるように連結される位置制限リングが固定的に取り付けられ、前記ベルトリングの内側壁の中にはスロットが均一に分布され、前記固定輪の外側端面の中には均一分布される前記スロットと対応するスライド溝が設置されており、前記電磁石が前記スライド溝の中に固定的に取り付けられ、前記スライド溝の中には前記スロットと挿入して連結されるスライダがスライドできるように取り付けられ、前記磁石が前記スライダの内側端面の中に固定的に取り付けられ、前記磁石は前記電磁石と反発し合うことができ、前記磁石と前記電磁石の間には引っ張り撥条が固定的に取り付けられ、前記ベルトが前記ベルトリングと前記プーリの間に伝動できるように取り付けられている。
【０００９】
更なる技術方案、前記加熱部品は前記装置内チャンバの頂壁に固定的に取り付けられ左右に対称的に設置される四つの電力ボードを含み、前記電力座が左右両側の前記送気チャンバの左右両側壁に固定的に取り付けられ、前記電熱線が前記電力座に固定的に取り付けられ、前記スイッチが前記装置外殻の頂部端面に固定的に取り付けられ、前記スイッチは左右に対称的に設置され且つ前記電力ボードと対応し、上方の両側の前記電力座と前側の前記電力ボードとの間には電線が接続され、下方の両側の前記電力座と後側の前記電力ボードとの間には前記電線が接続されている。
【発明の効果】
【００１０】
本発明の有益な効果は：本発明は結構が簡単で、操作が便利で、装置は一つや二つの靴下を同時に吹け、靴下を固定でき、手でサポートする必要なし、手がやけどされる確率を減少させ、且つ靴下の内側に反射される空気は風脱出管から排出され、装置損害の確率を減少させ、両側のスイッチは装置の始動を制御でき送気口の量を制御でき、乾かす確率を高め、使われる時間を減少させ、人々の生活に便利で、且つ装置は靴を吹け、用途は広い、広がる価値がある。
【図面の簡単な説明】
【００１１】
便利に説明するために、本発明は下記の具体実施例及び附図によって詳しく説明する。
【００１２】
【図１】図１は本発明の全体構成模式図
【図２】図２は本発明の前断面図
【図３】図３は図１のＡ方向の上面模式図
【図４】図４は図１のＢの拡大構成模式図
【図５】図５は図２のＣの拡大構成模式図
【図６】図６は靴吹き筒の構成模式図
【発明を実施するための形態】
【００１３】
以下、図１〜６について本発明を詳しく説明し、便利に叙述するように、現在は後文に出る方位を下記の通りに規定する：後文に出る上下左右前後方向は図１本体の投影関係の上下左右前後方向と一致する。
【００１４】
図１〜６を参考して、本発明の実施例における靴下乾燥装置は、装置主体９０１を含み、前記装置主体９０１は装置外殻１０を含み、前記装置外殻１０の中には装置内チャンバ２０が設置されており、前記装置外殻１０の頂部端面には風止め管１１が設置されており、前記風止め管１１には小孔の付いた風脱出管１２が設置されており、前記風脱出管１２には靴下を固定できるロック部品９０２が設置されており、前記風脱出管１２の中には靴吹き筒９０３が挿入して接続されており、前記ロック部品９０２は前記風脱出管１２の外側に位置する係止リング１３を含み、前記靴吹き筒９０３は前記風脱出管１２と挿入して接続される挿入接続筒５７を含み、前記装置内チャンバ２０の中には二つの送気部品９０４が設置されており、前記送気部品９０４は送気管２１と羽根の付いた送気軸３０を含み、前記装置外殻１０の左右両側端面には前記送気部品９０４の吸い込んだ空気を濾過する濾過部品９０５が設置されており、前記送気軸３０の下端には軸ロック機構９０６が設置されており、前記軸ロック機構９０６は固定ブロック３２を含み、前記固定ブロック３２と前記装置内チャンバ２０の底壁との固定によって送気軸３０を安定させ、前記装置内チャンバ２０の中には両側の前記送気軸３０の回転を制御する駆動伝動部品９０７が設置されており、前記駆動伝動部品９０７は駆動モーター４０及び駆動副軸４３を含み、前記駆動モーター４０と前記駆動副軸４３との間には動力を伝動するベルト４１が設置されており、前記駆動伝動部品９０７は磁石５２と電磁石５０を含み、前記装置外殻１０の中には前記送気部品９０４から吹き出された空気を加熱する加熱部品９０８が設置されており、前記加熱部品９０８は電力座２７と電熱線及び制御用のスイッチ１６を含み、左側の前記スイッチ１６は左側の前記電力座２７と左側の前記電熱線２８と駆動モーター４０を制御でき、右側の前記スイッチ１６は右側の前記電力座２７と右側の前記電熱線２８と前記電磁石５０を制御できる。
【００１５】
有益又は例示的に、前記装置主体９０１は前記装置内チャンバ２０の頂壁に位置する左右に対称的な上に開口した二つの送気口１５を含み、前記風止め管１１が前記装置外殻１０の頂部端面に固定的に設置されて前記送気口１５に連通し、前記ロック部品９０２は前記係止リング１３の外側に挿入接続して取り付けられる係止接続リング１４を含み、前記係止接続リング１４の端面にはロック回転軸４４が固定的に取り付けられ、前記ロック回転軸４４には二つのロックリング４５が固定的に取り付けられ、前記係止接続リング１４の端面には固定軸４９が設置されており、前記固定軸４９には二つのロックスリーブ４６が設置されており、前記靴吹き筒９０３は前記風脱出管１２と挿入して連結される挿入接続筒５７を含み、前記挿入接続筒５７の外側には位置制限環状ブロック５８が設置されており、前記挿入接続筒５７の頂端には通気網筒６０が設置され、
靴下の口ゴム部を風脱出管１２に被り、係止接続リング１４をかぶり、ロック回転軸４４と固定軸４９とを接近させてロック回転軸４４を回転させてロックリング４５をロックスリーブ４６の中の穴に引掛け、ロックを完成し、挿入接続筒５７を風脱出管１２の中に挿入し、位置制限環状ブロック５８の位置制限によって挿入接続筒５７の位置を安定させ、靴を通気網筒６０にかぶれば靴を吹ける。
【００１６】
有益又は例示的に、前記送気部品９０４は前記装置内チャンバ２０の左右両側壁に位置する外に開口した吸気口２５を含み、前記送気管２１が前記吸気口２５と前記送気口１５の間に固定的に設置されており、前記送気管２１の中には前記吸気口２５と送気口１５とに連通する送気チャンバ２２が設置されており、前記送気軸３０が前記装置内チャンバ２０の底壁の中に回転できるように取り付けられ、前記送気軸３０は上へ前記送気チャンバ２２の中に入り、前記送気軸３０は左右に対称的に設置されており且つ羽根が付き、前記送気チャンバ２２の内壁には四本の安定棒３４が固定的に取り付けられ、前記安定棒３４の間には安定スリーブ３５が固定的に取り付けられ、前記送気軸３０が前記安定スリーブ３５を通り抜けており、前記軸ロック機構９０６は前記送気軸３０に位置する位置制限回転リング３３を含み、前記固定ブロック３２が前記送気軸３０の底端に回転できるように取り付けられ、前記固定ブロック３２はネジ釘によって前記装置内チャンバ２０の底壁に固定され、前記濾過部品９０５は前記装置外殻１０の左右両側端面に取り付けられ且つ前記吸気口２５の外側に位置するネジ山座２３を含み、前記ネジ山座２３の中には濾過管２４がねじ山によって取り付けられ、前記濾過管２４の内部の空間の上下の両側壁の間には三つの濾過網２６が固定的に取り付けられ、
送気軸３０が回転する時上に付いた羽根を同時に回転連動させ、吸気口２５によって吸気し、吸気口２５の中から吸い込まれた空気を濾過し、送気口１５から吹き出し、安定スリーブ３５及び固定ブロック３２によって送気軸３０を安定させることができ、送気軸３０の外れを防止できる。
【００１７】
有益又は例示的に、前記駆動伝動部品９０７は前記送気軸３０に固定的に取り付けられる噛合歯車３１を含み、前記駆動モーター４０が前記装置内チャンバ２０の底壁の中に固定的に取り付けられ、前記駆動モーター４０のうち上に向かった出力軸が駆動主軸３７と固定的に接続され、前記駆動主軸３７の頂部端面には左側の前記噛合歯車３１と噛み合う主駆動輪３６が固定的に取り付けられ、前記駆動主軸３７にはプーリ３８が固定的に取り付けられ、前記駆動副軸４３が前記装置内チャンバ２０の底壁の中に回転できるように取り付けられ、前記駆動副軸４３の頂部端面には右側の前記噛合歯車３１と噛み合う副駆動輪４２が固定的に取り付けられ、前記駆動副軸４３には固定輪４７が固定的に取り付けられ、前記固定輪４７の外側にはベルトリング５５が回転できるように取り付けられ、前記ベルトリング５５の内側端面には前記固定輪４７とスライドできるように連結される位置制限リング５４が固定的に取り付けられ、前記ベルトリング５５の内側壁の中にはスロット５６が均一に分布され、前記固定輪４７の外側端面の中には均一分布される前記スロット５６と対応するスライド溝４８が設置されており、前記電磁石５０が前記スライド溝４８の中に固定的に取り付けられ、前記スライド溝４８の中には前記スロット５６と挿入して連結されるスライダ５３がスライドできるように取り付けられ、前記磁石５２が前記スライダ５３の内側端面の中に固定的に取り付けられ、前記磁石５２は前記電磁石５０と反発し合うことができ、前記磁石５２と前記電磁石５０の間には引っ張り撥条５１が固定的に取り付けられ、前記ベルト４１が前記ベルトリング５５と前記プーリ３８の間に伝動できるように取り付けられ、
駆動モーター４０が始動する時駆動主軸３７と主駆動輪３６を回転連動させ、主駆動輪３６は噛合によって左側の噛合歯車３１を回転連動させ、同時にプーリ３８が回転してベルト４１を伝動連動させて左側のベルトリング５５を回転連動させ、電磁石５０が通電して磁力を生じてから磁石５２と反発し合い、スライダ５３を推して外へスライドさせ、スロット５６と挿入して接続されてからベルトリング５５は固定輪４７と駆動副軸４３とを回転連動させ、駆動副軸４３は副駆動輪４２を回転連動させ、副駆動輪４２が噛合によって右側の噛合歯車３１を回転連動させる。
【００１８】
有益又は例示的に、前記加熱部品９０８は前記装置内チャンバ２０の頂壁に固定的に取り付けられ左右に対称的に設置される四つの電力ボード１７を含み、前記電力座２７が左右両側の前記送気チャンバ２２の左右両側壁に固定的に取り付けられ、前記電熱線２８が前記電力座２７に固定的に取り付けられ、前記スイッチ１６が前記装置外殻１０の頂部端面に固定的に取り付けられ、前記スイッチ１６は左右に対称的に設置され且つ前記電力ボード１７と対応し、上方の両側の前記電力座２７と前側の前記電力ボード１７との間には電線１８が接続され、下方の両側の前記電力座２７と後側の前記電力ボード１７との間には前記電線１８が接続され、
左側のスイッチ１６によって上方の電力座２７又は二つの電力座２７を制御して電熱線２８を加熱し、それに駆動モーター４０の始動を制御でき、右側の電力ボード１７によって右側の電力座２７と電磁石５０を制御できる。
【００１９】
使用する時、靴下の口ゴム部を風脱出管１２にかぶり、係止接続リング１４をかぶり、ロック回転軸４４と固定軸４９とを接近させてからロック回転軸４４を回転させてロックリング４５をロックスリーブ４６の中の穴に引掛け、ロックを完成し、一つの靴下しかない場合、左側のスイッチ１６によって上方の電力座２７又は二つの電力座２７を制御して電熱線２８を加熱し、それに駆動モーター４０の始動を制御でき、駆動モーター４０が始動する時に駆動主軸３７と主駆動輪３６を回転連動させ、主駆動輪３６は噛合によって左側の噛合歯車３１を回転連動させ、左側の噛合歯車３１は左側の送気軸３０を回転連動させ、同時にプーリ３８が回転してベルト４１を伝動連動させて左側のベルトリング５５を回転連動させ、左側の送気軸３０が上に付いた羽根を同時に回転連動させ、吸気口２５によって吸気を開始し、濾過網２６によって吸気口２５から吸い込まれた空気をろ過し、空気が送気口１５から吹き出され、電熱線２８が生じる熱量によって靴下を乾かし、靴下の中から跳ね返した空気は風脱出管１２によって排出させる。
【００２０】
二つの靴下を乾燥する時、右側の電力ボード１７によって右側の電力座２７と電磁石５０を制御し、電磁石５０が通電してから磁石５２と反発し合い、スライダ５３を推して外へスライドさせ、スロット５６と挿入して接続されてベルトリング５５が固定輪４７と駆動副軸４３を回転連動させ、駆動副軸４３が副駆動輪４２を回転連動させ、副駆動輪４２は噛合によって、右側の噛合歯車３１を回転連動させ、右側の噛合歯車３１が右側の送気軸３０と送気軸３０の羽根を同時に回転連動させ、送気を開始する。
【００２１】
靴を吹く時、挿入接続筒５７を風脱出管１２の中に挿入し、位置制限環状ブロック５８の位置制限によって挿入接続筒５７の位置を安定させ、靴カバーを通気網筒６０にかぶり、乾かし始める。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。